(57)【要約】【課題】表示装置が浮いて見えるディスプレイ装置を提供すること。【解決手段】ディスプレイ装置２０は、ディスプレイ２１とこれを支持する支持体２２を備え、支持体２２は透明なパネル２６を有する。このパネル２６上にディスプレイ２１と導電接続される透明電極が形成されているので、透明電極を電力線や信号線の一部として使用できるとともに、ディスプレイ２１による表示を見たときに透明電極が見えない。そのため、電力線や信号線が見えてしまうために、せっかくディスプレイ２１が浮いて見えるようにした演出が台無しになることもない。【選択図】      図１
2004279562.tif 000002
【特許請求の範囲】
【請求項１】
ディスプレイ装置において、
表示装置と、
前記表示装置を支持する支持体とを備え、
前記支持体は透光性を有する支持板を含み、
前記支持板上に前記表示装置と導電接続される透光性の導電パターンが設けられていることを特徴とするディスプレイ装置。
【請求項２】
請求項１に記載のディスプレイ装置において、前記導電パターンは前記支持板上であって前記表示装置の表面側とは反対側に対応する位置に設けられていることを特徴とするディスプレイ装置。
【請求項３】
請求項１又は２に記載のディスプレイ装置において、前記導電パターンは前記支持板の一端側で前記表示装置と導電接続され、前記導電パターンは前記一端側と該一端と対向する他端側との間で延在していることを特徴とするディスプレイ装置。
【請求項４】
ディスプレイ装置において、
表示装置と、
前記表示装置を支持する支持体とを備え、
前記支持体は透光性を有する支持板を含み、
前記支持板の両側面の少なくとも一方に前記表示装置と導電接続される透光性の導電パターンが設けられていることを特徴とするディスプレイ装置。
【請求項５】
請求項１乃至４のいずれか一つに記載のディスプレイ装置において、前記支持板は平板状の透明なパネルであり、前記導電パターンは前記パネル上に形成された透明電極であることを特徴とするディスプレイ装置。
【請求項６】
請求項４に記載のディスプレイ装置において、前記導電パターンは前記支持板の両側面の少なくとも一方に設けられた金属箔、或いは前記両側面の少なくとも一方に設けられたフレキシブルプリント基板上の配線であることを特徴とするディスプレイ装置。
【請求項７】
ディスプレイ装置において、
表示装置と、
前記表示装置を支持する支持体と、
前記表示装置と導電接続される配線を収納する配線収納体とを備え、
前記支持体は透光性を有する支持板を含み、
前記配線収納体の外周面上に光反射層が設けられていることを特徴とするディスプレイ装置。
【発明の詳細な説明】
【０００１】
【発明の属する技術分野】
本発明は、表示装置が浮いて見えるようにしたディスプレイ装置に関する。
【０００２】
【従来の技術】
図１２および図１３は、プラズマ表示装置（ＰＤＰ：プラズマディスプレイパネル）、液晶表示装置（ＬＣＤディスプレイ）などのディスプレイが浮いて見えるようにした従来のディスプレイ装置を示している。このディスプレイ装置は、ディスプレイ７０と、このディスプレイ７０が浮いて見えるようにディスプレイ７０を支持する透明なパネル７１とを備えている。また、ディスプレイ７０は、信号線７２を介してチューナなどの電子機器７３に接続され、信号線７４，７４をそれぞれ介して左右のスピーカ７５，７５に接続され、電力線（図示省略）を介して電源に接続される。また、ディスプレイ７０は、ビデオ信号線（図示省略）を介して録画装置（図示省略）に接続される。パネル７１は、ガラスなどで作られており、ディスプレイ７０を支持するのに十分な剛性を有している。
【０００３】
【発明が解決しようとする課題】
ところで、上記従来技術では、電力線、信号線７２，７４などの配線（接続ケーブル）がどうしても図１２に示すように見えてしまうために、せっかくディスプレイ７０が浮いて見えるようにした演出が台無しになってしまう。
【０００４】
そこで、本発明は、このような従来の問題点に鑑みてなされたもので、その目的は表示装置が浮いて見えるディスプレイ装置を提供することにある。
【０００５】
【課題を解決するための手段】
本発明におけるディスプレイ装置は、表示装置と、前記表示装置を支持する支持体とを備え、前記支持体は透光性を有する支持板を含み、前記支持板上に前記表示装置と導電接続される透光性の導電パターンが設けられていることを要旨とする。
【０００６】
これによれば、透光性を有する支持板上に表示装置と導電接続される透光性の導電パターンが設けられているので、その導電パターンを電力線や信号線の一部として使用できるとともに、表示装置による表示を見たときにその導電パターンが見えない。そのため、上記従来技術のように電力線や信号線などの配線（接続ケーブル）が見えてしまうために、せっかく表示装置が浮いて見えるようにした演出が台無しになることもない。したがって、表示装置が浮いて見えるディスプレイ装置を実現することができる。なお、ここにいう「表示装置」は、プラズマ表示装置（ＰＤＰ：プラズマディスプレイパネル）、液晶表示装置（ＬＣＤディスプレイ）などの表示装置と、お店のショウウィンドウなどで使われ、電気的に駆動される展示装置とを含む意味で用いる。
【０００７】
このディスプレイ装置において、前記導電パターンは前記支持板上であって前記表示装置の表面側とは反対側に対応する位置に設けられている。
これによれば、導電パターンは支持板上であって表示装置の表面側とは反対側に対応する位置に設けられているので、その導電パターンと表示装置とを電気的に接続する作業、および、導電パターンと電源や録画装置などとを電気的に接続する作業がそれぞれ容易になる。
【０００８】
このディスプレイ装置において、前記導電パターンは前記支持板の一端側で前記表示装置と導電接続され、前記導電パターンは前記一端側と該一端と対向する他端側との間で延在している。
【０００９】
これによれば、導電パターンは支持板の一端側で表示装置と導電接続されるので、表示装置と導電パターンの電気的な接続個所を表示装置で隠れて見えないようにすることができる。また、導電パターンは前記一端側と該一端と対向する他端側との間で延在しているので、導電パターンと電源や録画装置などとの電気的な接続個所や配線も隠れて見えないようにすることができる。したがって、より見栄えの良いディスプレイ装置を実現することができる。
【００１０】
本発明におけるディスプレイ装置は、表示装置と、前記表示装置を支持する支持体とを備え、前記支持体は透光性を有する支持板を含み、前記支持板の両側面の少なくとも一方に前記表示装置と導電接続される透光性の導電パターンが設けられている。
【００１１】
これによれば、支持板の両側面の少なくとも一方に表示装置と導電接続される透光性の導電パターンが設けられているので、その導電パターンを電力線や信号線の一部として使用できる。また、支持板の両側面の少なくとも一方に設けた導電パターンは表示装置による表示を見たときに見えないわけではないが、支持板の両側面はもともと屈折率の関係から像が歪んで見える部分であるため、両側面の少なくとも一方に導電パターンがあっても気にならない。そのため、せっかく表示装置が浮いて見えるようにした演出が台無しになることもない。したがって、表示装置が浮いて見えるディスプレイ装置を実現することができる。
【００１２】
このディスプレイ装置において、前記支持板は平板状の透明なパネルであり、前記導電パターンは前記パネル上に形成された透明電極である。
これによれば、導電パターンは透明なパネル上に形成された透明電極であるので、その透明電極を電力線や信号線の一部として使用できるとともに、表示装置による表示を見たときにその透明電極が見えない。したがって、表示装置が浮いて見えるディスプレイ装置を実現することができる。
【００１３】
なお、ここにいう「透明なパネル」は、薄く色がついた透明な材料で作られたものを含み、例えば、ガラス、プラスチック、ポリカーボネイト、アクリルなどの材料で作られる。また、「透明電極」は、透明でかつ導電性のある電極を意味し、例えば、酸化インジウム錫（Ｉｎｄｉｕｍ  Ｔｉｎ  Ｏｘｉｄｅ：以下「ＩＴＯ」という。）だけでなく、透明な樹脂である導電性ポリマーなどの材料で作られたものを含む。
【００１４】
このディスプレイ装置において、前記導電パターンは前記支持板の両側面の少なくとも一方に設けられた金属箔、或いは前記両側面の少なくとも一方に設けられたフレキシブルプリント基板上の配線である。
【００１５】
これによれば、支持板の両側面の少なくとも一方に設けられた金属箔、或いは前記両側面の少なくとも一方に設けられたフレキシブルプリント基板上の配線を電力線や信号線の一部として使用できる。また、金属箔或いはフレキシブルプリント基板上の配線は見えないわけではないが、支持板の両側面はもともと屈折率の関係から像が歪んで見える部分であるため、金属箔或いはフレキシブルプリント基板上の配線は気にならない。なお、ここにいう「金属箔」として、例えば銅箔、アルミ箔などが使用される。
【００１６】
本発明におけるディスプレイ装置は、表示装置と、前記表示装置を支持する支持体と、前記表示装置と導電接続される配線を収納する配線収納体とを備え、前記支持体は透光性を有する支持板を含み、前記配線収納体の外周面上に光反射層が設けられていることを要旨とする。
【００１７】
これによれば、表示装置と導電接続される配線を収納する配線収納体を備え、その配線収納体の外周面上に光反射層が設けられているので、電力線や信号線などの配線を配線収納体に収納したとき、支持板を通して見えるのは配線収納体の外周面で反射された像であり、配線収納体そのものおよび配線は見えない。そのため、上記従来技術のように電力線や信号線などの配線（接続ケーブル）が見えてしまうために、せっかく表示装置が浮いて見えるようにした演出が台無しになることもない。したがって、表示装置が浮いて見えるディスプレイ装置を実現することができる。
【００１８】
【発明の実施の形態】
以下、本発明を具体化した各実施形態を図面に基づいて説明する。
［第１実施形態］
本発明の第１実施形態に係るディスプレイ装置を図１〜図４に基づいて説明する。このディスプレイ装置２０は、表示装置としてのディスプレイ２１と、ディスプレイ２１が浮いて見えるようにディスプレイ２１を支持する支持体２２とを備えている。ディスプレイ２１は、プラズマ表示装置（ＰＤＰ：プラズマディスプレイパネル）、液晶表示装置（ＬＣＤディスプレイ）などの表示装置である。
【００１９】
また、ディスプレイ装置２０は、左右のスピーカ２３，２４、チューナなどの電子機器２５、および図示を省略した録画装置などと共に一つのシステムを構成する。
【００２０】
支持体２２は、平板状の透明な（透光性を有する）パネル（支持板）２６と、パネル２６の下端部が固定された台座２７とを備えている。パネル２６は、ディスプレイ２１を下から支え、ディスプレイ２１の下部空間全体に展開している。また、パネル２６は、その前面２６ａの下端部とその後面２６ｂの下端部とを押え板２８，２８で押さえた状態で台座２７上に固定されている。そして、パネル２６は、その前面の上部がディスプレイ２１の後面と接するようにしてディスプレイ２１に固定されている。
【００２１】
パネル２６は、例えばガラス、プラスチック、ポリカーボネート、アクリルなどの透明な材料で作られているとともに、ディスプレイ２１を支持するのに十分な剛性を有している。パネル２６の後面（ディスプレイ２１の表面側とは反対側に対応する位置）２６ｂには、図３および図４に示すように、透明な材料で作られ、ディスプレイ２１と電気的に接続される（導電接続される）導電パターンとしての複数の透明電極２９が形成されている。これらの透明電極２９はそれぞれ、上記ＩＴＯで作られており、パネル２６の上端部（一端側）と下端部（その一端と対向する他端側）との間で縦に延在している。
【００２２】
複数の透明電極２９の少なくとも一つは、その上端部で電力線３０を介してディスプレイ２１の電源端子（図示省略）と電気的に接続可能（導電接続可能）になっているとともに、その下端部で電力線３１を介して電源（図示省略）と電気的に接続可能になっている。例えば、ディスプレイ２１の電源端子と電力線３０の一端、および、電力線３０の他端と複数の透明電極２９の少なくとも一つの上端部は、それぞれ図示を省略したコネクタを介して電気的に接続可能である。また、複数の透明電極２９の少なくとも一つの下端部と電力線３１の一端、および、電力線３１の他端と電源は、それぞれ図示を省略したコネクタを介して電気的に接続可能である。
【００２３】
一方、複数の透明電極２９の残りの透明電極（複数の透明電極）は、各々の上端部で複数の信号線３２（図２では一つの信号線３２のみを示してある）をそれぞれ介してディスプレイ２１のオーディオ信号用の出力端子およびビデオ信号用の入出力端子と電気的に接続可能になっている。また、複数の透明電極２９の残りの透明電極は、各々の下端部で複数の信号線３３（図２では一つの信号線３３のみを示してある）をそれぞれ介してスピーカ２３，２４、録画装置および電子機器２５と電気的に接続可能になっている。
【００２４】
例えば、ディスプレイ２１のオーディオ信号用の出力端子およびビデオ信号用の入出力端子と各信号線３２の一端、および、各信号線３２の他端と前記残りの透明電極の各上端部は、それぞれ図示を省略したコネクタを介して電気的に接続可能である。また、前記残りの透明電極の各下端部と複数の信号線３３の各一端、および、複数の信号線３３の各他端とスピーカ２３，２４、録画装置および電子機器２５とは、それぞれ図示を省略したコネクタを介して電気的に接続可能である。
【００２５】
以上のように構成された第１実施形態によれば、以下の作用効果を奏する。
（イ）支持体２２の透明なパネル２６に形成した複数の透明電極２９を電力線や信号線の一部として使用することができる。つまり、ディスプレイ２１の電源端子は、電力線３０、複数の透明電極２９の少なくとも一つ、および電力線３１を介して電源と電気的に接続される。こうして複数の透明電極２９の少なくとも一つを、電力線３０と電力線３１とを電気的に接続する電力用の配線として使用することができる。一方、ディスプレイ２１のオーディオ信号用の出力端子およびビデオ信号用の入出力端子はそれぞれ、複数の信号線３２、複数の透明電極２９の残りの透明電極、および複数の信号線３３を介してスピーカ２３，２４、録画装置および電子機器２５と電気的に接続される。こうして、複数の透明電極２９の残りの透明電極はそれぞれ、複数の信号線３２と複数の信号線３３とをそれぞれ電気的に接続する信号用の配線として使用することができる。
【００２６】
（ロ）透明なパネル２６上にディスプレイ２１と導電接続される複数の透明電極（透光性の導電パターン）２９が設けられている。つまり、透けて見える複数の透明電極２９が透明なパネル上に設けられているので、複数の透明電極２９を電力線や信号線の一部として使用できるとともに、ディスプレイ２１による表示を見たときに複数の透明電極２９が見えない。つまり、複数の透明電極２９は正面から（図２の左側）見たときに見えない。そのため、上記従来技術のように電力線や信号線などの接続ケーブル（配線）が見えてしまうために、せっかくディスプレイが浮いて見えるようにした演出が台無しになることもない。したがって、ディスプレイ２１が浮いて見えるディスプレイ装置２０を実現することができる。
【００２７】
（ハ）電力線３０および複数の信号線３２はディスプレイ２１に隠れて正面から見えないようになっている。また、電力線３１および複数の信号線３３は、パネル２６の下端部側から、台座２７が置かれる床の上に延びて電源に接続されるので、正面から見えないようになっている。これによって、より見栄えの良いディスプレイ装置２０を実現することができる。
【００２８】
（ニ）複数の透明電極２９は透明なパネル２６の後面に形成されているので、それらの透明電極２９とディスプレイ２１とを電気的に接続する作業、および、透明電極２９と電源や録画装置などとを電気的に接続する作業がそれぞれ容易になる。
【００２９】
（ホ）ＩＴＯで作られた複数の透明電極２９はそれぞれ、透明なパネル２６の上端部と下端部との間で縦に延在している。これにより、ディスプレイ２１と複数の透明電極２９の各上端部との電気的な接続個所をディスプレイ２１で隠れて見えないようにすることができる。また、複数の透明電極２９の各下端部と電源や録画装置などとの電気的な接続個所や配線も隠れて見えないようにすることができる。したがって、より見栄えの良いディスプレイ装置を実現することができる。
【００３０】
［第２実施形態］
図５は第２実施形態に係るディスプレイ装置を示している。このディスプレイ装置２０は、前記複数の透明電極２９の表面全体を覆う透明な絶縁膜４０を形成してある点でのみ上記第１実施形態と異なる。
【００３１】
この第２実施形態によれば、以下の作用効果を奏する。
（ヘ）複数の透明電極２９の表面全体を覆う透明な絶縁膜４０により、安全性および性能の向上を図ることができる。また、絶縁膜４０により複数の透明電極２９の表面全体を保護することができる。
【００３２】
［第３実施形態］
図６および図７は第３実施形態に係るディスプレイ装置を示している。このディスプレイ装置２０は、上記第１実施形態のようにパネル２６の後面２６ｂに複数の透明電極２９を形成する代わりに、パネル２６の両側面に金属箔としての銅箔４１を形成したものである。その他の構成は、第１実施形態と同じである。
【００３３】
この第３実施形態によれば、以下の作用効果を奏する。
（ト）透明な平板状のパネル２６の両側面に設けられた銅箔４１を電力線や信号線の一部として使用できる。また、その銅箔４１は見えないわけではないが、パネル２６の両側面はもともと屈折率の関係から像が歪んで見える部分であるため、不透明な銅箔４１は気にならない。したがって、ディスプレイ２１が浮いて見えるディスプレイ装置２０を実現することができる。
【００３４】
［第４実施形態］
図８および図９は第４実施形態に係るディスプレイ装置を示している。このディスプレイ装置２０では、図６および図７に示す上記第３実施形態においてパネル２６の両側面に設けた銅箔４１，４１を、表面が反射面になっている反射板４３，４３で挟んだ構造になっている。反射板４３，４３は、各々の反射面４３ａがそれぞれ銅箔４１とは反対側になるように銅箔４１にそれぞれ固定されている。
【００３５】
この第４実施形態によれば、以下の作用効果を奏する。
（チ）前記正面側から左右の銅箔４１，４１の方を見たときに、各銅箔４１，４１の内側にある左右の反射板４３，４３の反射面４３ａで反射された像が見えるが、左右の銅箔４１，４１は上記第３実施形態よりも更に見えなくなる。これにより、より見栄えの良いディスプレイ装置を実現することができる。
【００３６】
［第５実施形態］
図１０および図１１は第５実施形態に係るディスプレイ装置を示している。このディスプレイ装置２０では、上記第１実施形態においてパネル２６の後面２６ｂに複数の透明電極２９を形成する代わりに、配線収納体４５を用いている。
【００３７】
この配線収納体４５は、電力線５１や信号線５２（配線）を収納する配線収納部４６を内部に有し、電力線５１や信号線５２をディスプレイ２１で隠れて見えない位置から配線収納部４６に収容できるようにしている。その配線収納体４５の外周面上に光反射層４５ａが設けられている。また、配線収納体４５の下端近傍には配線収納部４６内に上から入れた電力線５１や信号線５２を取り出すための開口部４７が形成されている。そして、配線収納体４５の下端部は台座４８に固定されている。その他の構成は、第１実施形態と同じである。
【００３８】
この第５実施形態によれば、以下の作用効果を奏する。
（リ）配線収納体４５を支持体２２の透明なパネル２６の後方に配置して、電力線５１や信号線５２を配線収納体４５の配線収納部４６に収納したとき、パネル２６を通して見えるのは配線収納体４５外周面上の光反射層４５ａで反射された像であり、配線収納体４５そのものおよび電力線５１や信号線５２は見えない。したがって、表示装置が浮いて見えるディスプレイ装置を実現することができる。
【００３９】
［  変形例］
なお、この発明は以下のように変更して具体化することもできる。
・上記各実施形態では、支持体２２のパネル（支持板）２６を透明なパネルとしているが、そのパネル２６はディスプレイ２１が浮いて見える程度に透けて見えかつ十分な剛性を有する支持板であればよい。つまり、そのパネル２６は、透光性と十分な剛性を有するものであればよい。したがって、パネル２６は、上述したガラスなどの透明な材料で作られているもの以外に、ディスプレイ２１が浮いて見える程度に透けて見える材料で作られたものでもよい。そして、そのようなパネル上に、透明な或いは透けて見える導電パターンを設けたものに本発明は適用可能である。
【００４０】
・上記各実施形態において、透明なパネル２６として、薄く色がついた透明な材料で作られたパネルを使用する構成にも本発明は適用可能である。つまり、パネル２６は、ディスプレイ２１が浮いて見える程度に薄く色がついた透明なもの或いは透光性を有するものであってもよい。
【００４１】
・上記各実施形態では、ディスプレイ２１は、プラズマ表示装置（ＰＤＰ：プラズマディスプレイパネル）、液晶表示装置（ＬＣＤディスプレイ）などの表示装置であるが、本発明はこれに限定されない。例えば、お店のショウウィンドウなどで使われ、電気的に駆動される展示装置で、その展示装置が浮いて見えるようにしたディスプレイ装置にも本発明は適用可能である。
【００４２】
・上記第１実施形態における複数の透明電極２９の数は一例であって、その数は適宜変更可能である。
・上記第１実施形態では、透明電極２９をＩＴＯで構成したが、本発明はこれに限定されない。透明電極２９は、透明でかつディスプレイ２１を支えるのに十分な剛性を有する材料、例えば透明な樹脂である導電性ポリマーなどの材料で作製したものであってもよい。
【００４３】
・上記第１実施形態において、パネル２６に補強用の金属細線（補強ワイヤ）を入れて剛性を向上させる場合には、パネル２６の前面２６ａに複数の透明電極２９を形成する代わりに、或いは透明電極２９と共に、その金属細線を配線として使用することも可能である。
【００４４】
・上記第３実施形態では、パネル２６の両側面に金属箔としての銅箔４１を形成してあるが、銅箔以外の金属箔、例えばアルミ箔なども使用可能である。また、パネル２６の両側面の一方に銅箔４１などの金属箔を設ける構成にも本発明は適用可能である。
【図面の簡単な説明】
【図１】第１実施形態に係るディスプレイ装置のシステム全体を示す概略構成図。
【図２】図１に示すディスプレイ装置の側面図。
【図３】図１に示す支持体を後面側から見た正面図。
【図４】図３に示す支持体の側面図。
【図５】第２実施形態に係るディスプレイ装置における支持体の側面図。
【図６】第３実施形態に係るディスプレイ装置における支持体の正面図。
【図７】図６に示す支持体の側面図。
【図８】第４実施形態に係るディスプレイ装置における支持体の正面図。
【図９】図８のＸ−Ｘ矢視断面図。
【図１０】第５実施形態に係るディスプレイ装置の側面図。
【図１１】図１０に示す配線収納体を示す斜視図。
【図１２】従来のディスプレイ装置のシステム全体を示す概略構成図。
【図１３】図１２に示すディスプレイ装置の側面図。
【符号の説明】
２０…ディスプレイ装置、２１…表示装置としてのディスプレイ、２２…支持体、２６…支持板としてのパネル、２６ｂ…後面、２９…導電パターンとしての透明電極、４１…導電パターンとしての銅箔、４３ａ…反射面、４５…配線収納体、４５ａ…光反射層、４６…配線収納部。
【図１】
2004279562.tif 000003
【図２】
2004279562.tif 000004
【図３】
2004279562.tif 000005
【図４】
2004279562.tif 000006
【図５】
2004279562.tif 000007
【図６】
2004279562.tif 000008
【図７】
2004279562.tif 000009
【図８】
2004279562.tif 000010
【図９】
2004279562.tif 000011
【図１０】
2004279562.tif 000012
【図１１】
2004279562.tif 000013
【図１２】
2004279562.tif 000014
【図１３】
2004279562.tif 000015